(57)【要約】【課題】スキャン入力した画像を自機とネットワークに接続された他のデジタル複写機により自由にプリントし、また自機とネットワークに接続された他のデジタル複写機のボックスに自由に格納して、自機でコピーした文書を後に別複写機で追加部数プリント出力すること。【解決手段】デジタル複写機１００２は、スキャン入力された画像データを自機にてプリント出力させる第１の出力モード、前記画像データをボックスに記憶保持させる第２の出力モード、前記画像データを他のデジタル複写機１００３にて自動的にプリント出力させる第３の出力モード、前記画像データを他のデジタル複写機１００３のボックスにて記憶保持させる第４の出力モードのいずれか１つ又は複数を実行する構成を特徴とする。【選択図】　　　図１０
2004023240.tif 000002
【特許請求の範囲】
【請求項１】
所定の通信媒体を介して他の画像処理装置と通信可能な画像処理装置において、
画像データを入力する画像入力手段と、
前記画像入力手段により入力され画像データを一時的に記憶する第１の画像記憶手段と、
前記第１の画像記憶手段に一時的に記憶された画像データを記憶保持可能な第２の画像記憶手段と、
前記画像入力手段により入力されて前記第１の画像記憶手段に記憶された画像データ又は前記第２の画像記憶手段から読み出されて前記第１の画像記憶手段に記憶された画像データをプリント出力可能な画像出力手段と、
前記画像入力手段により入力されて前記第１の画像記憶手段に記憶される画像データを前記画像出力手段にてプリント出力させる第１の出力モード、前記画像データを前記第２の画像記憶手段に記憶保持させる第２の出力モード、前記画像データを前記他の画像処理装置にて自動的にプリント出力させる第３の出力モード、前記画像データを前記他の画像処理装置にて記憶保持させる第４の出力モードのいずれか１つ又は複数を設定する出力先設定手段と、
前記出力先設定手段により設定された出力モードの実行を制御するものであり、前記第３の出力モード又は／及び第４の出力モードが設定された場合、前記第１の画像記憶手段に記憶された画像データに対して、前記出力先設定手段により設定された出力モードを示す情報を付加して前記他の画像処理装置に送信する制御手段と、
を有することを特徴とする画像処理装置。
【請求項２】
前記画像入力手段は、原稿を読み取ることによる画像データの入力，前記所定の通信媒体を介して受信することによる画像データの入力を含むものであり、
前記制御手段は、前記他の画像処理装置より受信した画像データに前記第３の出力モードを示す情報が付加されていた場合、前記画像データを前記画像出力手段により自動的にプリント出力させ、前記画像データに前記第４の出力モードを示す情報が付加されていた場合、前記画像データを前記第２の画像記憶手段に記憶保持させることを特徴とする請求項１記載の画像処理装置。
【請求項３】
前記出力先設定手段により前記第３の出力モード又は／及び第４の出力モードを設定する場合、前記所定の通信媒体を介して通信可能な複数の画像処理装置からいずれかの画像処理装置を選択することを特徴とする請求項１又は２記載の画像処理装置。
【請求項４】
所定の通信媒体を介して他の画像処理装置と通信可能であって、画像データを入力する画像入力手段と、前記画像入力手段により入力された画像データを一時的に記憶する第１の画像記憶手段と、前記第１の画像記憶手段に一時的に記憶された画像データを記憶保持可能な第２の画像記憶手段と、前記画像入力手段により入力されて前記第１の画像記憶手段に記憶された画像データ又は前記第２の画像記憶手段から読み出されて前記第１の画像記憶手段に一時的に記憶された画像データをプリント出力可能な画像出力手段とを有する画像処理装置の制御方法において、
前記画像入力手段により入力され前記第１の画像記憶手段に一時的に記憶される画像データを前記画像出力手段にてプリント出力させる第１の出力モード、前記画像データを前記第２の画像記憶手段に記憶保持させる第２の出力モード、前記画像データを前記他の画像処理装置にて自動的にプリント出力させる第３の出力モード、前記画像データを前記他の画像処理装置にて記憶保持させる第４の出力モードのいずれか１つ又は複数を設定する出力先設定工程と、
前記第１の出力モードが設定された場合、前記画像入力手段により入力され前記第１の画像記憶手段に一時的に記憶される画像データを前記画像出力手段にてプリント出力させる第１のプリント出力工程と、
前記第２の出力モードが設定された場合、前記画像入力手段により入力され前記第１の画像記憶手段に一時的に記憶される画像データを前記第２の画像記憶手段に記憶保持させる第１の保持工程と、
前記第３の出力モード又は／及び第４の出力モードが設定された場合、前記画像入力手段により入力され前記第１の画像記憶手段に一時的に記憶される画像データに対して前記出力先設定手段により設定された出力モードを示す情報を付加して前記他の画像処理装置に送信する送信工程と、
を有することを特徴とする画像処理装置の制御方法。
【請求項５】
前記画像入力手段は、原稿を読み取ることによる画像データの入力，前記所定の通信媒体を介して受信することによる画像データの入力を含むものであり、
前記他の画像処理装置より受信した画像データに前記第３の出力モードを示す情報が付加されていた場合、前記画像データを前記画像出力手段により自動的にプリント出力させる第２のプリント出力工程と、
前記他の画像処理装置より受信した画像データに前記第４の出力モードを示す情報が付加されていた場合、前記画像データを前記第２の画像記憶手段に記憶保持させる第２の保持工程と、
を有することを特徴とする請求項４記載の画像処理装置の制御方法。
【請求項６】
請求項４又は５に記載された画像処理装置の制御方法を実行するためのプログラム。
【請求項７】
請求項４又は５に記載された画像処理装置の制御方法を実行するためのプログラムをコンピュータが読み取り可能に記憶した記憶媒体。
【発明の詳細な説明】
【０００１】
【発明の属する技術分野】
本発明は、所定の通信媒体を介して他の画像処理装置と通信可能であって、画像メモリを備えたデジタル複写機等の画像処理装置および画像処理装置の制御方法およびプログラムおよび記憶媒体に関するものである。
【０００２】
【従来の技術】
従来、スキャナから読み取った画像データや、ホストコンピュータからネットワークを介して送られてきたＰＤＬデータをビットマップに展開した画像データを複写機内のハードディスクなどのメモリに一旦記憶し、そのメモリから任意の原稿の画像データを繰り返し読み出してプリントアウトする機能を備えたデジタル複写機が知られている。
【０００３】
これらデジタル複写機には、ステイプル，パンチ穴開け，折り，製本とじ等のフィニッシング機能を搭載したフィニッシャを接続することができ、それらフィニッシングの設定や両面等の画像の割り付けなどを画像の保存と同時にジョブ属性としてメモリに保存しておき、画像の入力とは非同期にこれらジョブ情報に基づきプリント出力するボックス機能を有するものもある。このボックス機能は、同じ文書を定期的にコピーしたい場合などに便利である。
【０００４】
また、上記のデジタル複写機がネットワーク上に複数存在する場合においては、スキャンした画像を他のデジタル複写機に送信してプリントするリモートコピー機能を備えたデジタル複写機も存在する。
【０００５】
このリモートコピー機能は、大量ページの文書を大量部数プリントする場合などに、そのプリント出力結果を必要とする場所に近い複写機にプリントできるため、出力結果を運ぶ手間を省くことができる。
【０００６】
【発明が解決しようとする課題】
しかしながら、上記ボックス機能に関しては何度も同じプリント出力結果を得ることができるが、その複写機にしか画像が入っていないため、追加でプリントする場合にその画像の入った複写機まで出向かなければならず非常に不便であるという問題があった。
【０００７】
また、リモートコピー機能に関しては、追加でもう何部か欲しいといった場合には、再度原稿をスキャンしなおさなければならず、非常に不便であるという問題があった。
【０００８】
本発明は、上記の問題点を解決するためになされたもので、本発明の目的は、スキャン入力され第１の画像記憶手段に一時的に記憶される画像データを画像出力手段にてプリント出力させる第１の出力モード、前記画像データを第２の画像記憶手段に記憶保持させる第２の出力モード、前記画像データを前記他の画像処理装置にて自動的にプリント出力させる第３の出力モード、前記画像データを前記他の画像処理装置にて記憶保持させる第４の出力モードのいずれか１つ又は複数を設定し、前記第１の出力モードが設定された場合、前記スキャン入力され前記第１の画像記憶手段に一時的に記憶される画像データを前記画像出力手段にてプリント出力させ、前記第２の出力モードが設定された場合、スキャン入力され前記第１の画像記憶手段に一時的に記憶される画像データを前記第２の画像記憶手段に記憶保持させ、前記第３の出力モード又は／及び第４の出力モードが設定された場合、前記スキャン入力され前記第１の画像記憶手段に一時的に記憶される画像データに対して設定された出力モードを示す情報を付加して前記他の画像処理装置に送信し、他の画像処理装置より受信した画像データに前記第３の出力モードを示す情報が付加されていた場合、前記画像データを前記画像出力手段により自動的にプリント出力させ、前記第４の出力モードを示す情報が付加されていた場合、前記画像データを前記第２の画像記憶手段に記憶保持させることにより、スキャン入力した画像を自機とネットワークに接続された他のデジタル複写機により自由にプリントすることができ、また自機とネットワークに接続された他のデジタル複写機のボックスに自由に格納して、自機でコピーした文書を後に別複写機で追加部数プリント出力することができる画像処理装置および画像処理装置の制御方法およびプログラムおよび記憶媒体を提供することである。
【０００９】
【課題を解決するための手段】
本発明に係る第１の発明は、所定の通信媒体（図１０に示すネットワーク１００１）を介して他の画像処理装置（図１０に示すデジタル複写機１００３）と通信可能な画像処理装置（図１０に示すデジタル複写機１００２）において、画像データを入力する画像入力手段（図１に示すリーダ部１０３，コンピュータインタフェース部１０６）と、前記画像入力手段により入力され画像データを一時的に記憶する第１の画像記憶手段（図５に示す画像メモリ１０７のテンポラリ領域５０１）と、前記第１の画像記憶手段に一時的に記憶された画像データを記憶保持可能な第２の画像記憶手段（図５に示す画像メモリ１０７のボックス領域５０２）と、前記画像入力手段により入力されて前記第１の画像記憶手段に記憶された画像データ又は前記第２の画像記憶手段から読み出されて前記第１の画像記憶手段に記憶された画像データをプリント出力可能な画像出力手段（図１に示すプリンタ部１０４）と、前記画像入力手段により入力されて前記第１の画像記憶手段に記憶される画像データを前記画像出力手段にてプリント出力させる第１の出力モード、前記画像データを前記第２の画像記憶手段に記憶保持させる第２の出力モード、前記画像データを前記他の画像処理装置にて自動的にプリント出力させる第３の出力モード、前記画像データを前記他の画像処理装置にて記憶保持させる第４の出力モードのいずれか１つ又は複数を設定する出力先設定手段（図１１，図１２に示す画面）と、前記出力設定手段により設定された出力モードの実行を制御するものであり、前記第３の出力モード又は／及び第４の出力モードが設定された場合、前記第１の画像記憶手段に記憶された画像データに対して、前記出力先設定手段により設定された出力モードを示す情報を付加して前記他の画像処理装置に送信する制御手段（図１に示す制御部１０８）とを有することを特徴とする。
【００１０】
本発明に係る第２の発明は、前記画像入力手段（図１に示すリーダ部１０３，コンピュータインタフェース部１０６）は、原稿を読み取ることによる画像データの入力，前記所定の通信媒体を介して受信することによる画像データの入力を含むものであり、前記制御手段は、前記他の画像処理装置より受信した画像データに前記第３の出力モードを示す情報が付加されていた場合、前記画像データを前記画像出力手段により自動的にプリント出力させ、前記画像データに前記第４の出力モードを示す情報が付加されていた場合、前記画像データを前記第２の画像記憶手段に記憶保持させることを特徴とする。
【００１１】
本発明に係る第３の発明は、前記出力先設定手段により前記第３の出力モード又は／及び第４の出力モードを設定する場合、前記所定の通信媒体を介して通信可能な複数の画像処理装置からいずれかの画像処理装置を選択することを特徴とする。
【００１２】
本発明に係る第４の発明は、所定の通信媒体を介して他の画像処理装置と通信可能であって、画像データを入力する画像入力手段と、前記画像入力手段により入力された画像データを一時的に記憶する第１の画像記憶手段と、前記第１の画像記憶手段に一時的に記憶された画像データを記憶保持可能な第２の画像記憶手段と、前記画像入力手段により入力されて前記第１の画像記憶手段に記憶された画像データ又は前記第２の画像記憶手段から読み出されて前記第１の画像記憶手段に一時的に記憶された画像データをプリント出力可能な画像出力手段とを有する画像処理装置の制御方法において、前記画像入力手段により入力され前記第１の画像記憶手段に一時的に記憶される画像データを前記画像出力手段にてプリント出力させる第１の出力モード、前記画像データを前記第２の画像記憶手段に記憶保持させる第２の出力モード、前記画像データを前記他の画像処理装置にて自動的にプリント出力させる第３の出力モード、前記画像データを前記他の画像処理装置にて記憶保持させる第４の出力モードのいずれか１つ又は複数を設定する出力先設定工程（図１３のステップＳ１３０１以前の図示しないステップ）と、前記第１の出力モードが設定された場合、前記画像入力手段により入力され前記第１の画像記憶手段に一時的に記憶される画像データを前記画像出力手段にてプリント出力させる第１のプリント出力工程（図１３のステップＳ１３０５）と、前記第２の出力モードが設定された場合、前記画像入力手段により入力され前記第１の画像記憶手段に一時的に記憶される画像データを前記第２の画像記憶手段に記憶保持させる第１の保持工程（図１３のステップＳ１３０７）と、前記第３の出力モード又は／及び第４の出力モードが設定された場合、前記画像入力手段により入力され前記第１の画像記憶手段に一時的に記憶される画像データに対して前記出力先設定手段により設定された出力モードを示す情報を付加して前記他の画像処理装置に送信する送信工程（図１３のステップＳ１３０３）とを有することを特徴とする。
【００１３】
本発明に係る第５の発明は、前記画像入力手段は、原稿を読み取ることによる画像データの入力，前記所定の通信媒体を介して受信することによる画像データの入力を含むものであり、前記他の画像処理装置より受信した画像データに前記第３の出力モードを示す情報が付加されていた場合、前記画像データを前記画像出力手段により自動的にプリント出力させる第２のプリント出力工程（図１３のステップＳ１４０３）と、前記他の画像処理装置より受信した画像データに前記第４の出力モードを示す情報が付加されていた場合、前記画像データを前記第２の画像記憶手段に記憶保持させる第２の保持工程（図１３のステップＳ１４０５）とを有することを特徴とする。
【００１４】
本発明に係る第６の発明は、請求項４又は５に記載された画像処理装置の制御方法を実行するためのプログラムであることを特徴とする。
【００１５】
本発明に係る第７の発明は、請求項４又は５に記載された画像処理装置の制御方法を実行するためのプログラムを記憶媒体にコンピュータが読み取り可能に記憶させたことを特徴とする。
【００１６】
【発明の実施の形態】
図１は、本発明の一実施形態を示す画像処理装置を適用可能なデジタル複写機の構成を示すブロック図である。
【００１７】
図において、本実施形態のデジタル複写機は、デジタル複写機本体１０１と画像入出力制御部１０５で構成される。
【００１８】
デジタル複写機本体１０１は、操作部１０２、リーダ部１０３、プリンタ部１０４から構成される。操作部１０２は、デジタル複写機本体１０１及び画像入出力制御部１０５を操作するために使用する。リーダ部１０３は、原稿の画像を読み取り、原稿画像に応じた画像データをプリンタ部１０４及び画像入出力制御部１０５へ出力する。プリンタ部１０４は、リーダ部１０３及び画像入出力制御部１０５からの画像データに応じた画像を記録紙上に記録する。
【００１９】
画像入出力制御部１０５は、リーダ部１０３に接続されており、コンピュータインタフェース部１０６、画像メモリ１０７、制御部１０８、バックアップＲＡＭ１１０から構成される。
【００２０】
コンピュータインタフェース部１０６は、パーソナルコンピュータ又はワークステーション（ＰＣ／ＷＳ）によって構成されるプリントサーバ（ＰＣ／ＷＳ）１０９と制御部１０８の間のインタフェースであり、ＰＣ／ＷＳ１０９から転送された画像を表すコードデータ（ＰＤＬ）をプリンタ部１０４で記録できる画像データに展開して制御部１０８に渡す。なお、コンピュータインタフェース部１０６とＰＣ／ＷＳ１０９は、イーサネット（登録商標）等のネットワークで接続されていてもよい。
【００２１】
制御部１０８は、ＣＰＵ，ＲＯＭ，ＲＡＭ等により構成され、ＣＰＵがＲＯＭ又は他の記憶媒体に格納されたプログラムを実行して、リーダ部１０３，コンピュータインタフェース部１０６，画像メモリ１０７等のそれぞれの間のデータの流れを制御するものであり、その詳細については後述する。
【００２２】
バックアップＲＡＭ１１０は、電源を落としても消去されないメモリであり、デジタル複写機本体１０１及び画像入出力制御部１０５においてバックアップしておかなければならないデータを保存しておくものである。
【００２３】
また、ＰＣ／ＷＳ１０９は、図示しないＣＰＵ，ＲＯＭ，ＲＡＭ等を有し、ＣＰＵがＲＯＭ又は他の記憶媒体に格納されたプログラムを実行して、各種処理を行うことができる。
【００２４】
図２は、図１に示したリーダ部１０３及びプリンタ部１０４の構成を示す断面図であり、特にプリンタ部１０４にフィニッシャが装着された場合を示す。
【００２５】
図において、２０１は原稿給送装置で、原稿を先頭順に１枚ずつプラテンガラス２０２上へ給送し、原稿の読み取り動作終了後、プラテンガラス２０２上の原稿を排出するものである。原稿がプラテンガラス２０２上に搬送されると、ランプ２０３を点灯し、そしてスキャナユニット２０４の移動を開始させて、原稿を露光走査する。この時の原稿からの反射光は、ミラー２０５、２０６、２０７、及びレンズ２０８によってＣＣＤイメージセンサ（以下ＣＣＤという）２０９へ導かれる。このように、走査された原稿の画像はＣＣＤ２０９によって読み取られる。
【００２６】
２２１はレーザドライバで、レーザ発光部２１０を駆動するものであり、出力画像データに応じたレーザ光をレーザ発光部２１０に発光させる。このレーザ光は感光ドラム２１１に照射され、感光ドラム２１１にはレーザ光に応じた潜像が形成される。
【００２７】
この感光ドラム２１１の潜像の部分には現像器２１２によって現像剤が付着される。カラー機の場合は、イエロー（Ｙ），マゼンタ（Ｍ），シアン（Ｃ），ブラック（Ｋ）の４色分現像器が装着される。そして、レーザ光の照射開始と同期したタイミングで、カセット２１３及びカセット２１４、手差し給紙段２２７のいずれかから記録紙を給紙して転写部２１５へ搬送し、感光ドラム２１１に付着された現像剤を記録紙に転写する。現像剤の乗った記録紙は定着部２１６に搬送され、定着部２１６の熱と圧力により現像剤は記録紙に定着される。
【００２８】
定着部２１６を通過した記録紙は排出ローラ２１７によって排出され、また、両面記録が設定されている場合は、排出ローラ２１７のところまで記録紙を搬送した後、排出ローラ２１７の回転方向を逆転させ、フラッパ２１８によって再給紙搬送路２１９へ導く。再給紙搬送路２１９へ導かれた記録紙は上述したタイミングで転写部２１５へ給紙される。
【００２９】
また、Ｚ折りユニット２２６が本体に装備されている場合には、Ｚ折りユニットへ記録紙が搬送され、操作部１０２からの操作に応じてＺ折りが行われる。
【００３０】
さらに、フィニッシャ２２０が装備されている場合、排出された記録紙を束ねて記録紙の仕分けをしたり、ユーザからの指定に応じてパンチャ２２３で記録紙のパンチが、ステイプラ２２４でステイプルがそれぞれ行われる。
【００３１】
また、サドルステッチャ２２５を使用すると、記録紙の中央部をステッチし、その中央部を折ることにより記録紙が製本される。インサータ２２２では、予め印刷された記録紙を、表紙や合紙として給紙することが可能となり、プリンタ部の記録紙経路を通すことがないため用紙を傷めず搬送することができる。サドルステッチャ２２５を使用しないジョブは、排紙口２３１を通り、可動トレイ２２８、２２９のどちらかに排出される。可動トレイ２２８と２２９は両方共上下に動作することができ、可動トレイ２２８に出力する場合には可動トレイ２２８が排紙口２３１の位置まで降りる。サドルステッチャ２２５を使用するジョブは、排紙口２３２を通り、製本トレイ２３０に排出される。
【００３２】
図３は、図１に示した操作部１０２のキー配列を示す平面図である。
【００３３】
図において、３０１は電源スイッチであり、デジタル複写機本体１０１および画像入出力制御部１０５への通電を制御する。３０２は予熱キーであり、予熱モードのＯＮ／ＯＦＦに使用する。３０３はコピーＡモードキーであり、複数の機能の中からコピーＡモードを選択するときに使用する。３０４はコピーＢモードキーであり、複数の機能の中からコピーＢモードを選択するときに使用する。コピーＡ及びコピーＢとは、各々同じコピー機能であるが、片方のコピーのスキャナ読み込みが終了している場合は次のコピーの入力ができるため、敢えてユーザに分かりやすくするために二つのコピーに分けている。
【００３４】
３０５はメールボックスキーであり、複数の機能の中からメールボックスモードを選択するときに使用する。メールボックス機能とは、ユーザ個人や部署毎に複写機内のメモリに記憶領域を持ち、そこにＰＤＬやスキャン画像を入れておき、好きなときに出力する機能である。３０６は拡張キーであり、ＰＤＬに対する操作を行うときに使用する。これら３０３〜３０６は、後述するＬＣＤ３１６の各々の機能画面を呼び出すときにも使用され、ＬＣＤ３１６の表示により各々のジョブの状況を見ることができる。
【００３５】
３０７はコピースタートキーであり、コピーの開始を指示するときに用いるキーである。３０８はストップキーであり、コピーを中断したり、中止したりするときに用いるキーである。３０９はリセットキーで、スタンバイ中は標準モードに復帰させるキーとして動作する。３１０はガイドキーであり、各機能を知りたいときに使用するキーである。
【００３６】
３１１はユーザモードキーであり、ユーザがシステムの基本設定を変更するときに使用する。３１２は割り込みキーであり、コピー中に割り込みしてコピーしたいときに用いる。３１３はテンキーであり、数値の入力を行うときに使用する。３１４はクリアキーであり、数値をクリアするときに用いる。３１５はＩＤキーであり、複写機を使用する場合にＩＤの入力モードに移行するときに使用する。
【００３７】
３１６は、液晶画面とタッチセンサの組合せからなるＬＣＤタッチパネル（操作パネル）であり、各モード毎に個別の設定画面が表示され、さらに、描画されたキーに触れることで、各種の詳細な設定を行うことが可能である。また、各々のジョブの動作状況表示なども行う。３１７は、ネットワークの通信状態を示すタリーランプであり、通常は緑色で、通信しているときは緑色で点滅し、ネットワークエラーの場合には赤色になる。
【００３８】
図４は、図３に示した操作パネル３１６のコピー標準画面を示した模式図であり、本実施形態の画像処理装置では、電源投入時にデフォルトとしてコピー標準画面で起動するようになっている。
【００３９】
図において、４０１はメッセージラインであり、コピージョブの状態をメッセージで表示する。４０２は倍率表示であり、設定された倍率やコピーモードによって自動的に決められる倍率をパーセントで表示する。４０３は用紙サイズ表示であり、選択された出力用紙を表示し、自動用紙選択が設定されている場合にはオート用紙というメッセージを表示する。
【００４０】
４０４は置数表示であり、何枚コピーするかを示す。４０５は縮小キーであり、縮小コピーを行いたい場合に使用する。４０６は等倍キーであり、縮小や拡大が設定されている場合に等倍に戻したいときに使用する。４０７は拡大キーであり、拡大コピーを行いたい場合に使用する。４０８はズームキーであり、細かい単位で倍率を設定して縮小コピーや拡大コピーを行いたい場合に使用する。
【００４１】
４０９は用紙選択キーであり、出力用紙を指定する場合に使用する。４１０はソータキーであり、ソートやステイプルのモードを設定する場合に使用する。４１１は両面キーであり、両面モードを設定する場合に使用する。
【００４２】
４１２は濃度表示で、現在の濃度が分かるようになっており、左側が濃度が薄く、右側が濃度が濃いことを示す。また、濃度表示４１２は、うすくキー４１３、こくキー４１５と連動して表示が変化するようになっている。うすくキー４１３は、濃度を薄くしたい場合に使用する。こくキー４１５は、濃度を濃くしたい場合に使用する。４１４は自動キーであり、自動的に濃度を決定するモードを使用する場合に使用する。
【００４３】
４１６は文字キーであり、文字原稿をコピーするのに適した濃度に自動的に設定する文字モードを設定する場合に使用する。４１７は文字／写真キーであり、写真が混在した原稿をコピーするのに適した濃度に自動的に設定する文字／写真モードを設定する場合に使用する。４１８は応用モードキーであり、コピー標準画面で設定できない様々なコピーモードを設定する場合に使用する。
【００４４】
４１９はプリント状況キーであり、現在このデジタル複写機本体１０１で行われているプリントの状況やジョブ履歴を見たい場合に使用する。このプリント状況キー４１９は、コピー標準画面だけではなく、常にこの位置に現れており、いつでもこのキーを押すことによりプリント状況を見ることができるようになっている。
【００４５】
４２０は出力先設定キーであり、スキャンした画像をどこに出力するかを選択する場合に使用する。この出力先設定キー４２０を押下すると、後述する図１１に示す出力先選択画面に遷移する。なお、出力先としては、自機のプリンタエンジン（図１に示したプリンタ部１０４）、後述する図５に示す自機のボックス、同じネットワークに接続されている他機のプリンタエンジン（後述する図１０に示すデジタル複写機１００３のプリンタエンジン）、他機のボックス（後述する図１０に示すデジタル複写機１００３のボックス）が設定できる。プリンタエンジンとボックスは同時に設定することができ、例えば自機のプリンタエンジンと他機のボックスに送る場合には４２１のような表示となる。ローカルは自機のことで、リモート１というのは他機の名前である。
【００４６】
図５は、図１に示した画像メモリ１０７の論理的な使用方法を示した模式図である。
【００４７】
図に示すように、本実施形態において、画像メモリ１０７は、使用用途に応じてハードディスク等の画像メモリの記憶領域をテンポラリ領域５０１とボックス全体領域５０２に論理的に分けられる。
【００４８】
テンポラリ領域５０１は、画像データの出力順序を変えたり、複数部出力においても一回のスキャンで出力ができるようにするために、ＰＤＬの展開データやスキャナからの画像データを一時的に記憶する記憶領域である。ボックス全体領域５０２はボックス機能を使用するための記憶領域であり、５０３〜５０７のように登録された数の小さな記憶領域（ボックス領域１，２，３，４，……）に分割されている。ボックス領域（以下ボックス）５０３〜５０７は、各ユーザや会社などの部署毎に割り当てられ、各ボックスにはボックス名とパスワードを付けることができる。ユーザはボックスを指定することでＰＤＬジョブやスキャンジョブを各ボックスに入力することができ、パスワードを入力することで実際にボックスの中を見たり、設定変更やプリント出力を行う。
【００４９】
図６（ａ），（ｂ）は、本発明の画像処理装置における第１，２の制御処理手順の一例を示すフローチャートであり、ボックス登録処理手順に対応する。なお、このフローチャートの処理は、図１に示した制御部１０８，ホストコンピュータ（ＰＣ／ＷＳ）１０９のＣＰＵ等によりＲＯＭ又は他の記憶媒体に格納されたプログラムに基づいて実行される。また、図中のＳ６０１〜Ｓ６０９は各ステップを示す。
【００５０】
なお、ボックスへの登録は、ホストコンピュータ１０９からのＰＤＬ画像と、スキャナ（リーダ部１０３）からのスキャン画像の登録があり、図６（ａ）はホストコンピュータ１０９からのＰＤＬ画像登録手順（第１の制御処理手順）に対応し、図６（ｂ）はスキャナ（リーダ部１０３）からのスキャン画像登録手順（第２の制御処理手順）に対応する。
【００５１】
まず、図６（ａ）を参照して、ＰＤＬ画像を登録する場合について説明する。
【００５２】
ＰＤＬ画像を登録する場合、図６（ａ）に示すように、ステップＳ６０１では、図１に示したＰＣ／ＷＳ１０９上でユーザがプリント設定を行い、ステップＳ６０２に進む。このプリント設定内容は、部数，用紙サイズ，拡大縮小率，片面／両面，ページ出力順序，ソート出力，ステイプル止めの有無等である。
【００５３】
ステップＳ６０２では、ＰＣ／ＷＳ１０９上でボックス番号を設定することで、画像メモリ１０７のボックス全体領域５０２内の領域（ボックス５０３〜５０７）が指定され、ステップＳ６０３に進む。例えば、ボックス番号が「１」と指定されると、ボックス全体領域５０２内のボックス５０３が指定されることなる。
【００５４】
ステップＳ６０３では、ＰＣ／ＷＳ１０９上で印刷指示を与え、それと共にＰＣ／ＷＳ１０９上にインストールされているドライバソフトウェアが印刷対象となるコードデータをいわゆるＰＤＬデータに変換して、ステップＳ６０１で設定したプリント設定パラメータとともに、本画像処理装置の画像入出力制御部１１０にＰＤＬデータを転送し、ステップＳ６０４に進む。
【００５５】
ステップＳ６０４では、転送されたＰＤＬデータを画像データに展開（ラスタライズ）する。画像データの展開が完了するとステップＳ６０５に進む。
【００５６】
ステップＳ６０５では、展開された画像データを画像メモリ１０７のボックス全体領域５０２に順次記録（格納）する。例えばボックス番号が「１」のときは、ボックス領域５０３内に記憶される。またここでは、ステップＳ６０１で設定したプリント設定パラメータもボックス５０３に記録される。なお、ボックス番号が「２」，「３」のときはそれぞれボックス５０４，５０５に記憶される。この格納処理を終了すると、ＰＤＬ画像登録処理を終了する。
【００５７】
次に、図６（ｂ）を参照して、スキャン画像を登録する場合について説明する。
【００５８】
スキャン画像を登録する場合は、図６（ｂ）に示すように、まずステップＳ６０６で、操作部１０２から画像を入力するボックス番号を指定し、ステップＳ６０７に進む。
【００５９】
ステップＳ６０７では、操作部１０２から画像処理等のスキャン設定を指定し、ステップＳ６０８に進む。
【００６０】
ステップＳ６０８では、操作部１０２からスキャンスタートの指示を出すことで、リーダ部１０３で原稿を読み取りステップＳ６０９に進む。
【００６１】
ステップＳ６０９では、ステップＳ６０８で読み取った画像をステップＳ６０６で指定したボックス領域に格納し、スキャン画像登録処理を終了する。
【００６２】
図７は、図３に示した操作パネル１０２のボックスキー３０５を押下した場合にＬＣＤ３１６に表示されるボックス選択画面の一例を示す模式図である。
【００６３】
図において、７０１はそのボックス番号７０１ａ，ボックス名７０１ｂ，画像メモリ１０７のボックス全体領域５０２に対してそのボックスがどれだけ容量をとっているかの情報７０１ｃを表示する領域である。なお、ボックス番号７０１ａを押下すると、図８に示すパスワード入力画面に遷移する。
【００６４】
７０２，７０３はそれぞれ下スクロールキー，上スクロールキーであり、領域７０１の表示を越える数のボックスが登録されているときに、画面をスクロールする場合に使用する。
【００６５】
図８は、図７に示したボックス番号７０１ａを押下した場合にＬＣＤ３１６に表示されるボックスパスワード入力画面の一例を示す模式図である。
【００６６】
図において、８０３はパスワード表示領域であり、操作部１０２のテンキー３１３等から入力されるボックスのパスワードを伏せ文字で表示する。
【００６７】
８０１は取消キーで、パスワード入力をキャンセルして、図７に示したボックス選択画面に戻る。８０２はＯＫキーで、このキーを押下することで、入力したパスワードの確定となり、パスワードの検証が行われる。
【００６８】
この検証により、入力されたパスワードが正しいと判断された場合には、図９に示すボックス内画面に遷移し、各ボックスにアクセスできるようになる。一方、入力されたパスワードが誤りである場合には、図示していない警告画面に遷移し、ボックスにはアクセスすることはできない。
【００６９】
図９は、図８に示したボックスパスワード入力画面により入力されたパスワードが正しい場合にＬＣＤ３１６に表示されるボック内画面の一例を示す模式図である。
【００７０】
図において、９０１はボックス内のファイルリストであり、各ファイルの登録日時、ファイル名がリスト表示される。ファイルを選択するにはファイル名９０１ａを押下し、現在選択されているファイルは反転表示される。これはトグル動作になっており、一度選択したファイル名９０１ａをもう一度押下すると、選択が解除される。
【００７１】
９０２は選択されたファイルの選択順序を示す表示であり、この図９に示す例の場合には、ファイル名５，ファイル名１，ファイル名４の順に選択されている。この選択順はそのまま結合保存したときのファイル順序となる。
【００７２】
９０３はスキャンキーであり、現在開いているボックスにスキャナから画像を入力する場合に使用し、図示しないスキャンの設定画面に遷移する。９０４はプリントキーであり、ファイルリスト９０１で選択しているファイルをプリントする場合に使用する。
【００７３】
９０５は移動キーであり、このボックス内のファイルを他のボックスに移動する場合に使用する。９０５は移動キーを押下すると、図１１に示す出力先選択画面に遷移する。
【００７４】
９０６は消去キーであり、ファイルリスト９０１で選択しているファイルを消去する場合に使用する。９０７は全選択キーであり、ファイルリスト９０１に表示されているファイルを全部選択する場合に使用する。この全選択キー９０７により全選択した場合には、選択順序はファイルリスト９０１の表示順となる。
【００７５】
９０８，９０９はそれぞれ下スクロールキー，上スクロールキーであり、ファイルリスト９０１の表示を超える数のファイルが登録されているときに、画面をスクロールする場合に使用する。９１０は閉じるキーであり、図８に示したボックスパスワード入力画面に戻るときに使用する。
【００７６】
図１０は、本発明の画像処理装置の一実施形態における出力先選択機能を説明する模式図である。
【００７７】
本実施形態においては、スキャンした画像の出力先を、自機のプリンタエンジン、自機のボックス、他機のプリンタエンジン、他機のボックスとしている。従って、例としてイーサネット（登録商標）等のネットワーク１００１にデジタル複写機１００２（図１に示したデジタル複写機本体１０１と画像入出力制御部１０５で構成される）とデジタル複写機１００３（図１に示したデジタル複写機本体１０１と画像入出力制御部１０５で構成される）が接続されている環境を考える。もちろん、さらに複数のデジタル複写機がネットワーク１００１に接続されていてもよいし、単なるネットワークプリンタが接続されていてもよい。
【００７８】
図に示す環境において、まずデジタル複写機１００２で原稿１００４をスキャンする（Ｓ１００７）。本実施形態において、このスキャンされた画像は次の４つの出力先がある。
【００７９】
・自機のプリンタにプリント出力（Ｓ１００８）
・自機のボックスに格納（Ｓ１００９）
・ネットワーク１００１を介して、他機のプリンタにプリント出力（Ｓ１０１０）
・ネットワーク１００１を介して、他機のボックスに格納（Ｓ１０１１）
なお、図１０において、１００５は、自機のプリンタでプリント出力された用紙であり、１００６は、ネットワーク１００１を介して他機のプリンタでプリント出力された用紙である。
【００８０】
また、本実施形態において、上記４つの出力先はどれか１つを指定してもよいし、複数の出力先を指定してもよいし、４つ全ての出力先を指定してもよい。
【００８１】
図１１は、図４に示した出力先設定キー４２０を押下した場合にＬＣＤ３１６に表示される出力先選択画面の一例を示す模式図であり、この画面でスキャンした画像の出力先を選択することができる。
【００８２】
図において、１１０１は自機とネットワークに接続された他機のリストであり、出力先選択状況、機械の状態、ネットワーク上でのマシン名等を表示する。状態欄１０１ｂには、機械が使用できる状態であれば「ＯＫ」と表示され、その他「プリント中」、「ウォームアップ中」、「ジャム」等、大雑把な状態を表示する。マシン名欄１０１ｃには、ユーザモードキー３１１から入ることのできるユーザモードのネットワーク設定にて、設定することができる。「Ｌｏｃａｌ」と表示されているのは自機であるため、ネットワーク上に見せるマシン名ではない。
【００８３】
また、この出力先リスト１１０１は、リストの１つに触れることで選択することができる。選択されたリストは本実施形態ではグレー表示される。機械アイコン表示欄１０１ａ内の機械アイコンの前に「Ｐ」とあるのは、この機械がプリント出力先として設定されていることを示す。「Ｂ」と表示されている場合は、この機械がボックス格納先として設定されていることを示す。もちろん、「Ｐ」と「Ｂ」が両方設定することも可能である。
【００８４】
即ち、ローカルマシン（Ｌｏｃａｌ）の機械アイコン表示欄１０１ａ内の機械アイコンの前に「Ｐ」と表示されている場合は、スキャン入力された画像データを自機にてプリント出力させる第１の出力モードが設定され、「Ｂ」と表示されている場合は、スキャン入力された画像データを自機のボックスに記憶保持させる第２の出力モードが設定される。
【００８５】
さらに、リモートマシン（Ｒｅｍｏｔｅ１，２，３，４，……）の機械アイコン表示欄１０１ａ内の機械アイコンの前に「Ｐ」と表示されている場合は、スキャン入力された画像データを選択されたリモートマシンにてプリント出力させる第３の出力モードが設定され、「Ｂ」と表示されている場合は、スキャン入力された画像データを選択されたリモートマシンのボックスに記憶保持させる第４の出力モードが設定される。
【００８６】
なお、上記第１〜第４の出力モードは、複数重複して設定することが可能である。
【００８７】
１１０２は下スクロールキー、１１０３は上スクロールキーであり、ネットワークに接続されている他機が出力先リストの１画面で表示できるリスト数を超える場合に、出力先リストを上下にスクロールするときに使用する。１１０４はキャンセルキーであり、現在設定されている状態でこの画面を抜ける場合に使用する。
【００８８】
１１０５は選択キーであり、出力先リスト１１０１で選択されている機械に対して出力先設定を行う場合に使用する。この選択キー１１０５を押下すると、図１２の出力先詳細選択画面に遷移する。
【００８９】
図１２は、図１１に示した選択キー１１０５を押下した場合にＬＣＤ３１６に表示される出力先詳細選択画面の一例を示す模式図であり、この画面では、図１１の出力先選択画面で選択された機械に対しての設定を行うことができる。
【００９０】
図において、１２０１はこの機械でプリントを行うかどうかの設定であり、ＯＮ／ＯＦＦがトグル表示となっている。１２０２はボックス選択キーであり、この機械のボックスに格納したい場合に押下し、格納先のボックスを指定する場合に使用する。ボックス選択キー１２０２を押下すると、図１１で選択した機械のボックス情報を取得し、該取得した機械のボックス情報に基づいて図７に示したボックスリスト画面が表示される。但し、この画面から図７のボックスリストに入った場合は、ボックス番号を押下するとそのボックスを選択したことになり、この出力先詳細選択画面（図１２）に戻るものとする。このとき、ボックス選択キー１２０２は設定されたという意味で反転表示される。
【００９１】
１２０３はキャンセルキーであり、この画面での設定を無効にして図１１に示した出力先選択画面に戻るときに使用する。１２０４はＯＫキーであり、この画面での設定を有効にして図１１に示した出力先選択画面に戻るときに使用する。
【００９２】
以下、図１３，図１４に示すフローチャートを参照して、本発明の画像処理装置におけるリモートプリント処理について説明する。
【００９３】
図１３は、本発明の画像処理装置における第３の制御処理手順の一例を示すフローチャートであり、リモートプリント処理の画像送信側の処理に対応する。なお、このフローチャートの処理は、図１０に示したデジタル複写機１００２のＣＰＵ（図１に示した制御部１０８のＣＰＵ）がＲＯＭ又は他の記憶媒体に格納されたプログラムを実行することにより実現される。また、図中のＳ１３０１〜Ｓ１３０８は各ステップを示す。
【００９４】
まず、ステップＳ１３０１では、原稿をスキャンし、画像データを画像メモリ１０７のテンポラリ領域５０１に入れ、ステップＳ１３０２に進む。
【００９５】
ステップＳ１３０２では、他機へプリントするもしくは他機のボックスへ格納する（他機へ出力）設定（第３，第４の出力モードの設定）であるかを判断し、そのどちらか一方でも設定されていた場合（他機へ出力する場合）は、ステップＳ１３０３に進み、どちらも設定されていない場合（他機へ出力しない場合）には、そのままステップＳ１３０４に進む。
【００９６】
ステップＳ１３０３では、ステップＳ１３０１でスキャンした画像データに対して図１１，図１２に示した画面にて設定された出力モードを示す情報を付加して他機へ送信し、ステップＳ１３０４に進む。
【００９７】
ステップＳ１３０４では、自機にプリントする設定（第１，第２の出力モードの設定）であるかを判断し、自機にプリントする設定である場合は、ステップＳ１３０５に進み、そうでなければ、そのままステップＳ１３０６に進む。
【００９８】
ステップＳ１３０５では、ステップＳ１３０１でスキャンした画像データを自機のプリンタエンジンにプリント出力し、ステップＳ１３０６に進む。
【００９９】
ステップＳ１３０６では、自機のボックスに格納する設定であるかを判断し、自機のボックスに格納する設定である場合は、ステップＳ１３０７に進み、そうでなければ、ステップＳ１３０８に進む。
【０１００】
ステップＳ１３０７では、ステップＳ１３０１でスキャンした画像データを画像メモリ１０７のテンポラリ領域５０１からボックス領域５０２に移動し、処理を終了する。
【０１０１】
一方、ステップＳ１３０８では、ステップＳ１３０１でスキャンした画像データを消去し、処理を終了する。
【０１０２】
なお、本実施形態では、全ての原稿をスキャンした後に他機へ送信したり、自機のプリンタエンジンにプリントしたりしているが、パフォーマンスを考えて１ページスキャンする度に送信やプリントを行うように構成してもよい。
【０１０３】
また、ステップＳ１３０１で原稿をスキャンする代りに、自機又は他のデジタル複写機のボックスから所望のファイルを１つ又は複数選択する処理を行うように構成してもよい。なお、他のデジタル複写機のボックスから所望のファイルを選択した場合は、ステップＳ１３０３の他機への画像送信では、そのファイルのあるデジタル複写機から出力を行うデジタル複写機へ直接送信させるように構成してもよいし、一旦自機で受信した後、出力する機器へ転送するように構成してもよい。
【０１０４】
また、ステップＳ１３０５の自機にてプリント出力では、選択したファイルのあるデジタル複写機から自機に送信させた後、出力するものとする。
【０１０５】
図１４は、本発明の画像処理装置における第４の制御処理手順の一例を示すフローチャートであり、リモートプリント処理の画像受信側の処理に対応する。なお、このフローチャートの処理は、図１０に示した他のデジタル複写機１００３のＣＰＵ（図１に示した制御部１０８のＣＰＵ）がＲＯＭ又は他の記憶媒体に格納されたプログラムを実行する実現される。また、図中のＳ１４０１〜Ｓ１４０７は各ステップを示す。
【０１０６】
他のデジタル複写機から画像送信があると、まず、ステップＳ１４０１で、ネットワークから画像データを受信し、画像を画像メモリ１０７のテンポラリ領域５０１に入れ、ステップＳ１４０２に進む。
【０１０７】
ステップＳ１４０２では、ステップＳ１４０１で受信した画像データに対するジョブがプリントする設定である（受信した画像データに第３の出力モードが付加されている）か否かを判断し、プリントする設定である場合は、ステップＳ１４０３に進み、そうでなければ、そのままステップＳ１４０４に進む。
【０１０８】
ステップＳ１４０３では、ステップＳ１４０１で受信した画像をプリンタエンジン（プリンタ部１０４）にプリント出力し、ステップＳ１４０４に進む。
【０１０９】
ステップＳ１４０４では、ステップＳ１４０１で受信した画像に対するジョブがボックスに格納する設定（受信した画像データに第４の出力モードが付加されている）であるかを判断し、ボックスに格納する設定である場合は、ステップＳ１４０５に進み、そうでなければ、ステップＳ１４０６に進む。
【０１１０】
ステップＳ１４０５では、ステップＳ１４０１で受信した画像データを画像メモリ１０７のテンポラリ領域５０１からボックス領域５０２に移動（即ち、ボックス領域５０２）し、ステップＳ１４０７に進む。
【０１１１】
ステップＳ１４０６では、ステップＳ１４０１で受信した画像を消去し、ステップＳ１４０７に進む。
【０１１２】
ステップＳ１４０７では、送信元に依頼された処理が終了したことを通知し、処理を終了する。
【０１１３】
なお、本実施形態では、全ての画像を受信した後にプリンタエンジンにプリントしているが、パフォーマンスを考えて１ページスキャンする度にプリントを行うに構成してもよい。
【０１１４】
以上のように、スキャンした画像を自機とネットワークに接続された他のデジタル複写機に自由にプリントすることができ、自機とネットワークに接続された他のデジタル複写機のボックスに自由に格納することができるようになり、ユーザが欲しい画像を必要なときにプリントできるようになる。
【０１１５】
なお、上記各実施形態では、プリンタ部１０４が１ドラム系のレーザビーム方式である場合を例にして説明したが、複数ドラム系であっても、またレーザビーム方式以外の電子写真方式（例えばＬＥＤ方式）でも、液晶シャッタ方式、インクジェット方式、熱転写方式、昇華方式でもその他のプリント方式であっても本発明は適用可能である。
【０１１６】
また、上記実施形態では、図１０に示したデジタル複写機１００２において原稿をスキャンして自機（デジタル複写機１００２）又は他機（デジタル複写機１００３）によりプリント出力，自機又は他機のボックスに格納する場合について説明したが、デジタル複写機１００２にデジタルカメラ等を接続し、デジタルカメラから画像入力して自機又は他機によりプリント出力，自機又は他機のボックスに格納するように構成してもよい。
【０１１７】
さらに、ＰＣ／ＷＳ１０９のモニタ上に図４，図１１，図１２に示した画面を表示し、ＰＣ／ＷＳ１０９から出力した画像データをデジタル複写機１００２により入力して、自機又は他機によりプリント出力，自機又は他機のボックスに格納するように構成してもよい。
【０１１８】
また、他機のボックスへの格納の代りに、ファイルサーバ等の所定のフォルダ（ディレクトリ）を指定して格納するように構成してもよい。
【０１１９】
さらに、上記各実施形態の構成を合わせた構成も本発明に含まれるものである。
【０１２０】
以下、図１５に示すメモリマップを参照して本発明に係る画像処理装置で読み出し可能なデータ処理プログラムの構成について説明する。
【０１２１】
図１５は、本発明に係る画像処理装置で読み出し可能な各種データ処理プログラムを格納する記憶媒体のメモリマップを説明する模式図である。
【０１２２】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１２３】
さらに、各種プログラムに従属するデータも上記ディレクトリに管理されている。また、インストールするプログラムやデータが圧縮されている場合に、解凍するプログラム等も記憶される場合もある。
【０１２４】
本実施形態における図６（ａ），図６（ｂ），図１３，図１４に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１２５】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１２６】
この場合、記憶媒体から読み出されたプログラムコード自体が本発明の新規な機能を実現することになり、そのプログラムコードを記憶した記憶媒体は本発明を構成することになる。
【０１２７】
プログラムコードを供給するための記憶媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１２８】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１２９】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１３０】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記憶媒体を該システムあるいは装置に読み出すことによって、そのシステムあるいは装置が、本発明の効果を享受することが可能となる。
【０１３１】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【０１３２】
【発明の効果】
以上説明したように、本発明によれば、画像入力手段より入力され第１の画像記憶手段に一時的に記憶される画像データを画像出力手段にてプリント出力させる第１の出力モード、前記画像データを第２の画像記憶手段に記憶保持させる第２の出力モード、前記画像データを前記他の画像処理装置にて自動的にプリント出力させる第３の出力モード、前記画像データを前記他の画像処理装置にて記憶保持させる第４の出力モードのいずれか１つ又は複数を設定し、前記第１の出力モードが設定された場合、前記スキャン入力され前記第１の画像記憶手段に一時的に記憶される画像データを前記画像出力手段にてプリント出力させ、前記第２の出力モードが設定された場合、スキャン入力され前記第１の画像記憶手段に一時的に記憶される画像データを前記第２の画像記憶手段に記憶保持させ、前記第３の出力モード又は／及び第４の出力モードが設定された場合、前記スキャン入力され前記第１の画像記憶手段に一時的に記憶される画像データに対して設定された出力モードを示す情報を付加して前記他の画像処理装置に送信し、また、他の画像処理装置より受信した画像データに前記第３の出力モードを示す情報が付加されていた場合、前記画像データを前記画像出力手段により自動的にプリント出力させ、前記第４の出力モードを示す情報が付加されていた場合、前記画像データを前記第２の画像記憶手段に記憶保持させるので、入力した画像を自機及び自機と通信媒体を介して通信可能な他の画像処理装置により自由にプリント出力することができ、また自機及び前記自機と通信媒体を介して通信可能な他の画像処理装置の第２の画像記憶手段（ボックス）に自由に格納して、ある画像処理装置でコピーした文書等のユーザが欲しい画像を、後の必要な時に、他の画像処理装置でも追加部数プリント出力することができる等の効果を奏する。
【図面の簡単な説明】
【図１】本発明の一実施形態を示す画像処理装置を適用可能なデジタル複写機の構成を示すブロック図である。
【図２】図１に示したリーダ部及びプリンタ部の構成を示す断面図である。
【図３】図１に示した操作部のキー配列を示す平面図である。
【図４】図３に示した操作パネルのコピー標準画面を示した模式図である。
【図５】図１に示した画像メモリの論理的な使用方法を示した模式図である。
【図６】本発明の画像処理装置における第１，２の制御処理手順の一例を示すフローチャートである。
【図７】図３に示した操作パネルのボックスキーを押下した場合にＬＣＤに表示されるボックス選択画面の一例を示す模式図である。
【図８】図７に示したボックス番号を押下した場合にＬＣＤに表示されるボックスパスワード入力画面の一例を示す模式図である。
【図９】図８に示したボックスパスワード入力画面により入力されたパスワードが正しい場合にＬＣＤに表示されるボック内画面の一例を示す模式図である。
【図１０】本発明の画像処理装置の一実施形態における出力先選択機能を説明する模式図である。
【図１１】図４に示した出力先設定キーを押下した場合にＬＣＤに表示される出力先選択画面の一例を示す模式図である。
【図１２】図１１に示した選択キーを押下した場合にＬＣＤに表示される出力先詳細選択画面の一例を示す模式図である。
【図１３】本発明の画像処理装置における第３の制御処理手順の一例を示すフローチャートである。
【図１４】本発明の画像処理装置における第４の制御処理手順の一例を示すフローチャートである。
【図１５】本発明に係る画像処理装置で読み出し可能な各種データ処理プログラムを格納する記憶媒体のメモリマップを説明する模式図である。
【符号の説明】
１０１，１００２，１００３　デジタル複写機
１０２　操作部
１０３　リーダ部
１０４　プリンタ部
１０５　画像入出力制御部
１０６　コンピュータインタフェース部
１０７　画像メモリ
１０８　バックアップＲＡＭ
１０９　ＰＣ／ＷＳ
【図１】
2004023240.tif 000003
【図２】
2004023240.tif 000004
【図３】
2004023240.tif 000005
【図４】
2004023240.tif 000006
【図５】
2004023240.tif 000007
【図６】
2004023240.tif 000008
【図７】
2004023240.tif 000009
【図８】
2004023240.tif 000010
【図９】
2004023240.tif 000011
【図１０】
2004023240.tif 000012
【図１１】
2004023240.tif 000013
【図１２】
2004023240.tif 000014
【図１３】
2004023240.tif 000015
【図１４】
2004023240.tif 000016
【図１５】
2004023240.tif 000017